(57)【要約】【課題】  ファクシミリ装置にスキャナから入力した文書やファクシミリ装置で受信した文書を両面印刷する際に、先頭ページだけページ幅が異なりその後の文書のページ幅が全て揃っていた場合、先頭１ページは片面印刷を行い、２ページ目以降の文書を両面印刷するファクシミリ装置および片面・両面印刷における印刷制御方法を提供する。【解決手段】  受信した画像情報を両面印刷するかどうかを入力し、両面印刷が指示された場合、画像情報の全ページの幅を取得する。取得した画像情報の全ページの幅を比較し、幅が全て同一の場合、両面印刷を行う。幅が全て同一ではない場合、１ページ目だけ幅が異なるかどうか確認する。１ページ目だけ幅が異なる場合、１ページ目を片面印刷し、２ページ目以降を両面印刷する。１ページ目だけでなく複数ページで幅が異なる場合、片面印刷を行う。【選択図】  図２
2005184664.tif 000002
【特許請求の範囲】
【請求項１】
送信する画像情報を入力し、入力した画像情報を確認のために印刷したり、また画像情報を受信し、受信した画像情報を印刷するファクシミリ装置であって、
前記画像情報を片面印刷するか両面印刷するかを選択する印刷選択手段と、
両面印刷が選択された場合に、前記画像情報の全ページの幅を取得するページ幅取得手段と、
前記全ページが同一幅の場合に、前記画像情報を両面印刷する両面印刷手段と、
前記全ページが同一幅でない場合に、１ページ目の幅のみが異なるかどうかを確認する１ページ目幅確認手段と、
前記１ページ目の幅のみが異なる場合に、１ページ目のみを片面印刷し、２ページ目以降を両面印刷する片面・両面印刷手段と、
前記１ページ目の幅のみではなく複数ページの幅が異なる場合に、前記画像情報を片面印刷する片面印刷手段と、
を有することを特徴とするファクシミリ装置。
【請求項２】
前記１ページ目の幅のみが異なる場合に、
前記１ページ目の解像度のみが他のページと異なるかの確認をする解像度確認手段をさらに有し、
前記１ページ目の解像度のみが他のページと異なる場合に、１ページ目のみを片面印刷し、２ページ目以降を両面印刷することを特徴とする請求項１記載のファクシミリ装置。
【請求項３】
送信する画像情報を入力し、入力した画像情報を確認のために印刷したり、また画像情報を受信し、受信した画像情報を印刷する非通常通信プロトコルを備えるファクシミリ装置であって、
送信側ファクシミリ装置は、
画像情報を送信する時に、送付状の有無を設定する送付状有無設定手段と、
送付状がある場合は、非通常通信プロトコルで送付状ありの情報を受信側ファクシミリ装置に通知する送付状あり通知手段と、を有し、
前記送信側ファクシミリ装置は、送付状がある場合、前記画像情報と送付状あり情報を受信側ファクシミリ装置に送信し、
前記画像情報を受信した前記受信側ファクシミリ装置は、
前記画像情報を片面印刷するか両面印刷するかを選択する印刷選択手段と、
両面印刷が選択された場合に、前記画像情報の全ページの幅を取得するページ幅取得手段と、
前記全ページが同一幅の場合に、前記送信側ファクシミリ装置からの情報に前記送付状あり情報があるかどうかを確認する送付状確認第１手段と、
前記送付状確認第１手段で、前記送付状あり情報があると確認された場合は、１ページ目である前記送付状を片面印刷し、２ページ目以降を両面印刷する片面・両面印刷第１手段と、
前記送付状あり情報があると確認されなかった場合は、前記画像情報を両面印刷する両面印刷手段と、
前記全ページが同一幅でない場合に、前記送信側ファクシミリ装置からの情報に前記送付状あり情報があるかどうかを確認する送付状確認第２手段と、
前記送付状確認第２手段で、前記送付状あり情報があると確認された場合に、１ページ目の幅のみが異なるかどうかを確認する１ページ目幅確認手段と、
前記１ページ目の幅のみが異なる場合に、１ページ目のみを片面印刷し、２ページ目以降を両面印刷する片面・両面印刷第２手段と、
前記送付状確認第２手段で、前記送信側ファクシミリ装置からの情報に前記送付状あり情報がないと確認された場合に、片面印刷をする片面印刷第１手段と、
前記１ページ目の幅のみではなく複数ページの幅が異なる場合に、前記画像情報を片面印刷する片面印刷第２手段と、
を有することを特徴とするファクシミリ装置。
【請求項４】
送信する画像情報を入力し、入力した画像情報を確認のために印刷したり、また画像情報を受信し、受信した画像情報を印刷するファクシミリ装置の印刷制御方法であって、
前記画像情報を片面印刷するか両面印刷するかを選択する印刷選択工程と、
両面印刷が選択された場合に、前記画像情報の全ページの幅を取得するページ幅取得工程と、
前記全ページが同一幅の場合に、前記画像情報を両面印刷する両面印刷工程と、
前記全ページが同一幅でない場合に、１ページ目の幅のみが異なるかどうかを確認する１ページ目幅確認工程と、
前記１ページ目の幅のみが異なる場合に、１ページ目のみを片面印刷し、２ページ目以降を両面印刷する片面・両面印刷工程と、
前記１ページ目の幅のみではなく複数ページの幅が異なる場合に、前記画像情報を片面印刷する片面印刷工程と、
を有することを特徴とするファクシミリ装置の印刷制御方法。
【請求項５】
前記１ページ目の幅のみが異なる場合に、
前記１ページ目の解像度のみが他のページと異なるかの確認をする解像度確認工程をさらに有し、
前記１ページ目の解像度のみが他のページと異なる場合に、１ページ目のみを片面印刷し、２ページ目以降を両面印刷することを特徴とする請求項４記載のファクシミリ装置の印刷制御方法。
【請求項６】
送信する画像情報を入力し、入力した画像情報を確認のために印刷したり、また画像情報を受信し、受信した画像情報を印刷する非通常通信プロトコルを備えるファクシミリ装置の印刷制御方法であって、
送信側ファクシミリ装置は、
画像情報を送信する時に、送付状の有無を設定する送付状有無設定工程と、
送付状がある場合は、非通常通信プロトコルで送付状ありの情報を受信側ファクシミリ装置に通知する送付状あり通知工程と、を有し、
前記送信側ファクシミリ装置は、送付状がある場合、前記画像情報と送付状あり情報を受信側ファクシミリ装置に送信し、
前記画像情報を受信した前記受信側ファクシミリ装置は、
前記画像情報を片面印刷するか両面印刷するかを選択する印刷選択工程と、
両面印刷が選択された場合に、前記画像情報の全ページの幅を取得するページ幅取得工程と、
前記全ページが同一幅の場合に、前記送信側ファクシミリ装置からの情報に前記送付状あり情報があるかどうかを確認する送付状確認第１工程と、
前記送付状確認第１工程で、前記送付状あり情報があると確認された場合は、１ページ目である前記送付状を片面印刷し、２ページ目以降を両面印刷する片面・両面印刷第１工程と、
前記送付状あり情報があると確認されなかった場合は、前記画像情報を両面印刷する両面印刷工程と、
前記全ページが同一幅でない場合に、前記送信側ファクシミリ装置からの情報に前記送付状あり情報があるかどうかを確認する送付状確認第２工程と、
前記送付状確認第２工程で、前記送付状あり情報があると確認された場合に、１ページ目の幅のみが異なるかどうかを確認する１ページ目幅確認工程と、
前記１ページ目の幅のみが異なる場合に、１ページ目のみを片面印刷し、２ページ目以降を両面印刷する片面・両面印刷第２工程と、
前記送付状確認第２手段で、前記送信側ファクシミリ装置からの情報に前記送付状あり情報がないと確認された場合に、片面印刷をする片面印刷第１工程と、
前記１ページ目の幅のみではなく複数ページの幅が異なる場合に、前記画像情報を片面印刷する片面印刷第２工程と、
を有することを特徴とするファクシミリ装置の印刷制御方法。
【発明の詳細な説明】
【技術分野】
【０００１】
本発明は、両面印刷が可能なファクシミリ装置および片面・両面印刷における印刷制御方法に関する。
【背景技術】
【０００２】
一般的に、ＦＡＸを送信する際に、先頭の１ページに送付状を付けることがよくある。これは、宛先や発信者を明確にすることが目的で、本文とは別に送付状を作成し付加する。紙原稿の場合では、送付状ページを別で作成し、先頭ページとしてスキャナで読み取ることになる。
【０００３】
また、ＰＣ（ｐｅｒｓｏｎａｌ  ｃｏｍｐｕｔｅｒ）ＦＡＸなどの機能では、送付状ページをＰＣ上で作成し、自動的に付加することも可能である。いずれの場合も、通常、送付状ページはＡ４サイズで作成し、先頭ページとして付加されることになる。そのため、先頭ページの送付状だけＡ４サイズで、本文はＡ３サイズというような状況がおきてしまう。
【０００４】
一方、ＦＡＸを受信し印刷する場合、両面印刷するかどうかを判断する際に、全ての受信文書のページ幅が揃っているかどうかをチェックし、揃っている場合のみ両面印刷を行うのが一般的である。これは、ページサイズ（ページ幅）をチェックすることにより、両面の裏面の画像が入りきれずに欠けてしまったというような問題を防ぐためである。
【０００５】
従って、例えば、Ａ３サイズの本文にＡ４サイズの送付状を付加したために、ＦＡＸの受信側で両面印刷を行う設定となっていたとしても、両面印刷できない問題が生じてしまう。
【０００６】
特許文献１では、ファクシミリ装置及び印刷方法が開示されている。この技術では、両面印刷するか片面印刷するかを選択する両面／片面印刷選択画面が表示され、この画面上で、ユーザが印刷方式を選択するようにしている。また、レポートの印刷が指定されたとき、レポートのテキスト部と画像部を改頁するとしている。しかしながら、この技術では、両面印刷を選択した場合、テキスト部を表面に印刷、画像部を裏面に印刷するとしている。
【特許文献１】特開２００３−２７４０６２号公報
【発明の開示】
【発明が解決しようとする課題】
【０００７】
本発明は、上記問題点に鑑みてなされたものであり、ファクシミリ装置にスキャナから入力した文書やファクシミリ装置で受信した文書を両面印刷する際に、先頭ページだけページ幅が異なっており、その後の文書のページ幅が全て揃っていた場合、先頭１ページは片面印刷を行い、２ページ目以降の文書を両面印刷するファクシミリ装置および片面・両面印刷における印刷制御方法を提供することを目的とする。
【課題を解決するための手段】
【０００８】
上記目的を達成するために、請求項１記載の発明は、送信する画像情報を入力し、入力した画像情報を確認のために印刷したり、また画像情報を受信し、受信した画像情報を印刷するファクシミリ装置であって、画像情報を片面印刷するか両面印刷するかを選択する印刷選択手段と、両面印刷が選択された場合に、画像情報の全ページの幅を取得するページ幅取得手段と、全ページが同一幅の場合に、画像情報を両面印刷する両面印刷手段と、全ページが同一幅でない場合に、１ページ目の幅のみが異なるかどうかを確認する１ページ目幅確認手段と、１ページ目の幅のみが異なる場合に、１ページ目のみを片面印刷し、２ページ目以降を両面印刷する片面・両面印刷手段と、１ページ目の幅のみではなく複数ページの幅が異なる場合に、画像情報を片面印刷する片面印刷手段と、を有することを特徴とする。
【０００９】
請求項２記載の発明は、請求項１記載の発明において、１ページ目の幅のみが異なる場合に、１ページ目の解像度のみが他のページと異なるかの確認をする解像度確認手段をさらに有し、１ページ目の解像度のみが他のページと異なる場合に、１ページ目のみを片面印刷し、２ページ目以降を両面印刷することを特徴とする。
【００１０】
請求項３記載の発明は、送信する画像情報を入力し、入力した画像情報を確認のために印刷したり、また画像情報を受信し、受信した画像情報を印刷する非通常通信プロトコルを備えるファクシミリ装置であって、送信側ファクシミリ装置は、画像情報を送信する時に、送付状の有無を設定する送付状有無設定手段と、送付状がある場合は、非通常通信プロトコルで送付状ありの情報を受信側ファクシミリ装置に通知する送付状あり通知手段と、を有し、送信側ファクシミリ装置は、送付状がある場合、画像情報と送付状あり情報を受信側ファクシミリ装置に送信し、画像情報を受信した受信側ファクシミリ装置は、画像情報を片面印刷するか両面印刷するかを選択する印刷選択手段と、両面印刷が選択された場合に、画像情報の全ページの幅を取得するページ幅取得手段と、全ページが同一幅の場合に、送信側ファクシミリ装置からの情報に送付状あり情報があるかどうかを確認する送付状確認第１手段と、送付状確認第１手段で、送付状あり情報があると確認された場合は、１ページ目である送付状を片面印刷し、２ページ目以降を両面印刷する片面・両面印刷第１手段と、送付状あり情報があると確認されなかった場合は、画像情報を両面印刷する両面印刷手段と、全ページが同一幅でない場合に、送信側ファクシミリ装置からの情報に送付状あり情報があるかどうかを確認する送付状確認第２手段と、送付状確認第２手段で、送付状あり情報があると確認された場合に、１ページ目の幅のみが異なるかどうかを確認する１ページ目幅確認手段と、１ページ目の幅のみが異なる場合に、１ページ目のみを片面印刷し、２ページ目以降を両面印刷する片面・両面印刷第２手段と、送付状確認第２手段で、送信側ファクシミリ装置からの情報に送付状あり情報がないと確認された場合に、片面印刷をする片面印刷第１手段と、１ページ目の幅のみではなく複数ページの幅が異なる場合に、画像情報を片面印刷する片面印刷第２手段と、を有することを特徴とする。
【００１１】
請求項４記載の発明は、送信する画像情報を入力し、入力した画像情報を確認のために印刷したり、また画像情報を受信し、受信した画像情報を印刷するファクシミリ装置の印刷制御方法であって、画像情報を片面印刷するか両面印刷するかを選択する印刷選択工程と、両面印刷が選択された場合に、画像情報の全ページの幅を取得するページ幅取得工程と、全ページが同一幅の場合に、画像情報を両面印刷する両面印刷工程と、全ページが同一幅でない場合に、１ページ目の幅のみが異なるかどうかを確認する１ページ目幅確認工程と、１ページ目の幅のみが異なる場合に、１ページ目のみを片面印刷し、２ページ目以降を両面印刷する片面・両面印刷工程と、１ページ目の幅のみではなく複数ページの幅が異なる場合に、画像情報を片面印刷する片面印刷工程と、を有することを特徴とする。
【００１２】
請求項５記載の発明は、請求項４記載の発明において、１ページ目の幅のみが異なる場合に、１ページ目の解像度のみが他のページと異なるかの確認をする解像度確認工程をさらに有し、１ページ目の解像度のみが他のページと異なる場合に、１ページ目のみを片面印刷し、２ページ目以降を両面印刷することを特徴とする。
【００１３】
請求項６記載の発明は、送信する画像情報を入力し、入力した画像情報を確認のために印刷したり、また画像情報を受信し、受信した画像情報を印刷する非通常通信プロトコルを備えるファクシミリ装置の印刷制御方法であって、送信側ファクシミリ装置は、
画像情報を送信する時に、送付状の有無を設定する送付状有無設定工程と、送付状がある場合は、非通常通信プロトコルで送付状ありの情報を受信側ファクシミリ装置に通知する送付状あり通知工程と、を有し、送信側ファクシミリ装置は、送付状がある場合、画像情報と送付状あり情報を受信側ファクシミリ装置に送信し、画像情報を受信した受信側ファクシミリ装置は、画像情報を片面印刷するか両面印刷するかを選択する印刷選択工程と、両面印刷が選択された場合に、画像情報の全ページの幅を取得するページ幅取得工程と、全ページが同一幅の場合に、送信側ファクシミリ装置からの情報に送付状あり情報があるかどうかを確認する送付状確認第１工程と、送付状確認第１工程で、送付状あり情報があると確認された場合は、１ページ目である送付状を片面印刷し、２ページ目以降を両面印刷する片面・両面印刷第１工程と、送付状あり情報があると確認されなかった場合は、画像情報を両面印刷する両面印刷工程と、全ページが同一幅でない場合に、送信側ファクシミリ装置からの情報に送付状あり情報があるかどうかを確認する送付状確認第２工程と、送付状確認第２工程で、送付状あり情報があると確認された場合に、１ページ目の幅のみが異なるかどうかを確認する１ページ目幅確認工程と、１ページ目の幅のみが異なる場合に、１ページ目のみを片面印刷し、２ページ目以降を両面印刷する片面・両面印刷第２工程と、送付状確認第２手段で、送信側ファクシミリ装置からの情報に送付状あり情報がないと確認された場合に、片面印刷をする片面印刷第１工程と、１ページ目の幅のみではなく複数ページの幅が異なる場合に、画像情報を片面印刷する片面印刷第２工程と、を有することを特徴とする。
【発明の効果】
【００１４】
Ａ４サイズの送付状が付加され、本文がＢ４サイズのみまたはＡ３サイズのみのような文書を受信した際に、受信した文書の幅の全てを確認し、先頭ページである送付状のみ幅が異なっている場合、送付状のみを片面印刷し、本文を両面印刷することが可能となる。
【発明を実施するための最良の形態】
【００１５】
受信した画像情報を両面印刷するかどうかを入力し、両面印刷が指示された場合、画像情報の全ページの幅を取得する。取得した画像情報の全ページの幅を比較し、幅が全て同一の場合、両面印刷を行う。幅が全て同一ではない場合、１ページ目だけ幅が異なるかどうか確認する。１ページ目だけ幅が異なる場合、１ページ目を片面印刷し、２ページ目以降を両面印刷する。１ページ目だけでなく複数ページで幅が異なる場合、片面印刷を行う。
【００１６】
図面を参照し、本発明の実施形態を詳細に説明する。
【００１７】
図１は、本発明の実施形態におけるファクシミリ装置の概略構成を示すブロック図である。図１に示すように、本発明の実施形態におけるファクシミリ装置は、画像情報を送受信するモデム部１と、ＰＣ（図示せず）と画像情報を送受信するネットワークコントロール部２と、原稿・画像を読み取り画像情報を出力するスキャナ部３と、読み取った原稿・画像および受信した画像情報を蓄積する画像情報メモリ４と、蓄積した画像情報を圧縮する画像データ圧縮部５と、圧縮データを格納する圧縮データ格納バッファ６と、圧縮された画像データを伸長する圧縮データ伸長部７と、伸長した画像データを展開する伸長データ展開メモリ（ラインバッファ、ページメモリ）８と、画像データを印刷するプロッタ部９と、ユーザが装置を操作する操作部１０と、ユーザの操作および装置の現在の状況などを表示する表示部１１と、装置全体を制御するシステム制御部１２と、を備え、各部は、バスライン１３で相互に接続されている。
【００１８】
図１において、モデム部１で受信した画像情報は、画像情報メモリ４に一旦蓄積され、画像データ圧縮部５で圧縮され、圧縮データ格納バッファ６に蓄積される。プロッタ部９でこの受信した画像情報が印刷される場合は、圧縮データ格納バッファ６に蓄積された圧縮データが、圧縮データ伸長部７で伸長され、伸長データ展開メモリ８に一旦蓄積されたデータが、プロッタ部９に送られ、印刷される。
【００１９】
ＰＣより受信した画像情報は、ネットワークコントロール部２で受信し、受信した画像情報の流れは、上記と同様に処理され、プロッタ部９で印刷される。また、スキャナ部３より入力された画像情報も、上記と同様に処理され、プロッタ部９で印刷される。
【００２０】
上記の処理の制御は、システム制御部１２で行われ、適宜、表示部１１に表示される。また、ユーザは、操作部１０を使用し、適宜、必要事項を入力する。ここで、画像情報には、文字および画像が含まれる。
【００２１】
図２は、本発明の第１実施形態におけるファクシミリ装置の画像情報の印刷制御における動作を示すフローチャートである。この動作は、図１に示した、システム制御部１２で制御される。
【００２２】
図２を参照し、本発明の第１実施形態におけるファクシミリ装置の画像情報の印刷制御における動作を説明する。受信した画像情報の処理と入力された画像情報の処理は、同様であるので、受信した画像情報の処理について説明する。
【００２３】
まず、ユーザの操作部１０における操作により、受信した画像情報を両面印刷するかどうかが入力される（ステップＳ１）。両面印刷が指示された場合（ステップＳ１のＹＥＳ）、システム制御部１２は、圧縮データ格納バッファ６に格納されている画像情報の全ページの幅を取得する（ステップＳ２）。次に、取得した画像情報の全ページの幅を比較し、幅が全て同一の場合（ステップＳ３のＹＥＳ）、両面印刷を行い（ステップＳ４）、印刷を終了する。
【００２４】
ステップＳ３で、幅が全て同一ではない場合（ステップＳ３のＮＯ）、１ページ目だけ幅が異なるかどうか確認する（ステップＳ５）。１ページ目だけ幅が異なる場合（ステップＳ５のＹＥＳ）、１ページ目を片面印刷し、２ページ目以降を両面印刷し（ステップＳ６）、印刷を終了する。
【００２５】
ステップＳ５で、１ページ目だけでなく複数ページで幅が異なる場合（ステップＳ５のＮＯ）、片面印刷し（ステップＳ７）、印刷を終了する。
【００２６】
ステップＳ１で、両面印刷の指示がない場合（ステップＳ１のＮＯ）、片面印刷をし（ステップＳ７）、印刷を終了する。
【００２７】
図３は、本発明の第２実施形態におけるファクシミリ装置の画像情報の印刷制御における動作を示すフローチャートである。この動作は、図１に示した、システム制御部１２で制御される。
【００２８】
図３を参照し、本発明の第２実施形態におけるファクシミリ装置の画像情報の印刷制御における動作を説明する。受信した画像情報の処理と入力された画像情報の処理は、同様であるので、受信した画像情報の処理について説明する。
【００２９】
まず、ユーザの操作部１０における操作により、受信した画像情報を両面印刷するかどうかが入力される（ステップＳ１１）。両面印刷が指示された場合（ステップＳ１１のＹＥＳ）、システム制御部１２は、圧縮データ格納バッファ６に格納されている画像情報の全ページの幅を取得する（ステップＳ１２）。次に、取得した画像情報の全ページの幅を比較し、幅が全て同一の場合（ステップＳ１３のＹＥＳ）、両面印刷を行い（ステップＳ１４）、印刷を終了する。
【００３０】
ステップＳ１３で、幅が全て同一ではない場合（ステップＳ１３のＮＯ）、１ページ目だけ幅が異なるかどうか確認する（ステップＳ１５）。１ページ目だけ幅が異なる場合（ステップＳ１５のＹＥＳ）、次に、この１ページ目だけ解像度が異なるかどうかを確認する（ステップＳ１６）。１ページ目だけ解像度が異なる場合（ステップＳ１６のＹＥＳ）、１ページ目を片面印刷し、２ページ目以降を両面印刷し（ステップＳ１７）、印刷を終了する。
【００３１】
ステップＳ１５で、１ページ目だけでなく複数ページで幅が異なる場合（ステップＳ１５のＮＯ）、片面印刷し（ステップＳ１８）、印刷を終了する。
【００３２】
ステップＳ１６で、１ページ目の解像度が他ページと同じ場合（ステップＳ１６のＮＯ）、片面印刷し（ステップＳ１８）、印刷を終了する。
【００３３】
ステップＳ１１で、両面印刷の指示がない場合（ステップＳ１１のＮＯ）、片面印刷をし（ステップＳ１８）、印刷を終了する。
【００３４】
図４は、本発明の第３実施形態におけるファクシミリ装置の画像情報の印刷制御における動作を示すフローチャートである。この動作は、図１に示した、システム制御部１２で制御される。
【００３５】
図４を参照し、本発明の第３実施形態におけるファクシミリ装置の画像情報の印刷制御における動作を説明する。第４実施形態の場合、送受信するファクシミリ装置は、非標準の通信プロトコルを、互いに備えている。
【００３６】
図４においては、フローチャートが上部と下部に分かれている。上部は、画像情報の送信時の処理を示し、下部は、画像情報の受信時の処理を示している。まず、図４の上部に示した画像情報の送信処理について説明する。下部で示す処理において、受信した画像情報の処理と入力された画像情報の処理は、同様であるので、受信した画像情報の処理について説明する。
【００３７】
まず、図４の上部を参照し、画像情報の送信時の処理について説明する。ユーザは、画像情報の送信時に、操作部１０より必要事項を入力する。ユーザが送付状ありの設定をし、画像情報を入力した場合（ステップＳ２１のＹＥＳ）、非標準の通信プロトコルで送付状ありを送信先に通知するとともに、本文である画像情報を送信先に送る（ステップＳ２２）。ユーザが送付状ありの設定をしなかった場合（ステップＳ２１のＮＯ）、通常の通信プロトコルで画像情報を送信先に送る（ステップＳ２３）。
【００３８】
次に、図４の下部を参照し、画像情報の受信時の処理について説明する。まず、ユーザの操作部１０における操作により、受信した画像情報を両面印刷するかどうかが入力される（ステップＳ３１）。両面印刷が指示された場合（ステップＳ３１のＹＥＳ）、システム制御部１２は、圧縮データ格納バッファ６に格納されている画像情報の全ページの幅を取得する（ステップＳ３２）。次に、取得した画像情報の全ページの幅を比較し、幅が全て同一の場合（ステップＳ３３のＹＥＳ）、送付状があるかないかを確認する（ステップＳ３４）。
【００３９】
送付状がある場合（ステップＳ３４のＹＥＳ）、１ページ目（送付状）を片面印刷し、２ページ目以降を両面印刷し（ステップＳ３５）、印刷を終了する。送付状がない場合（ステップＳ３４のＮＯ）、両面印刷し（ステップＳ３６）、印刷を終了する。
【００４０】
ステップＳ３３で、幅が全て同一ではない場合（ステップＳ３３のＮＯ）、送付状があるかないかを確認する（ステップＳ３７）。送付状がある場合（ステップＳ３７のＹＥＳ）、送付状のみが幅が異なるかどうか確認する（ステップＳ３８）。送付状のみ幅が異なる場合（ステップＳ３８のＹＥＳ）、１ページ目（送付状）を片面印刷し、２ページ目以降を両面印刷し（ステップＳ３５）、印刷を終了する。
【００４１】
ステップＳ３３で、幅が全て同一ではなく（ステップＳ３３のＮＯ）、ステップＳ３７で、送付状がない場合（ステップＳ３７のＮＯ）、片面印刷し（ステップＳ３９）、印刷を終了する。
【００４２】
ステップＳ３８で、送付状のみではなく複数ページで幅が異なる場合（ステップＳ３８のＮＯ）、片面印刷し（ステップＳ３９）、印刷を終了する。
【００４３】
ステップＳ３１で、両面印刷の指示がない場合（ステップＳ３１のＮＯ）、片面印刷をし（ステップＳ４０）、印刷を終了する。
【００４４】
以上、実施形態を詳細に説明したように、本発明の第１実施形態によれば、Ａ４サイズの送付状が付加され、本文がＢ４サイズのみまたはＡ３サイズのみのような文書を受信した際に、受信した文書の幅の全てを確認し、先頭ページである送付状のみ幅が異なっている場合、送付状のみを片面印刷し、本文を両面印刷することが可能となる。
【００４５】
また、本発明の第２実施形態によれば、通常、送付状は低解像度（普通字）でスキャンすることが多いため、１ページ目だけ普通字で、２ページ目以降が微細字のような場合がある。この場合、先頭１ページの解像度が他のページの解像度と異なっていることを確認することにより、より確実に先頭ページが送付状かどうかをチェックすることが可能となり、送付状のみを片面印刷し、本文を両面印刷することが可能となる。
【００４６】
また、本発明の第３実施形態によれば、非標準のプロトコルを備えるファクシミリ装置同士で、この非標準の通信のプロトコル上で、送信文書に送付状が含まれているかどうかを通知することで、確実に受信側で送付状ページの有無を確認することが可能となり、送付状のみを片面印刷し、他の画像情報を両面印刷することが可能となる。
【００４７】
本発明の実施形態について、上記のように詳細に説明したが、上記の実施形態は、本発明の好適な実施の形態の例であり、これに限定されるものではなく、本発明の要旨を逸脱しない範囲において種々変形して実施することが可能である。
【図面の簡単な説明】
【００４８】
【図１】本発明の実施形態におけるファクシミリ装置の概略構成を示すブロック図である。
【図２】本発明の第１実施形態におけるファクシミリ装置の画像情報の印刷制御における動作を示すフローチャートである。
【図３】本発明の第２実施形態におけるファクシミリ装置の画像情報の印刷制御における動作を示すフローチャートである。
【図４】本発明の第３実施形態におけるファクシミリ装置の画像情報の印刷制御における動作を示すフローチャートである。
【符号の説明】
【００４９】
１    モデム部
２    ネットワークコントロール部
３    スキャナ部
４    画像情報メモリ
５    画像データ圧縮部
６    圧縮データ格納バッファ
７    圧縮データ伸長部
８    伸長データ展開メモリ
９    プロッタ部
１０    操作部
１１    表示部
１２    システム制御部
１３    バスライン
【図１】
2005184664.tif 000003
【図２】
2005184664.tif 000004
【図３】
2005184664.tif 000005
【図４】
2005184664.tif 000006